【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
物体側より順に、負屈折力の第１レンズ群と、正屈折力の第２レンズ群を有し、
広角端状態から望遠端状態への変倍の際、前記第１レンズ群と前記第２レンズ群の間隔が変化し、
前記第１レンズ群は、物体側より順に、像面側に凹面を向けた負メニスカスレンズと、負レンズと、物体側に凸面を向けた正レンズを有し、
前記第２レンズ群は、物体側より順に、正レンズと、第１接合レンズと、第２接合レンズを有し、
以下の条件を満足することを特徴とするズームレンズ。
０．２０  ＜  Ｓ１ ／（ｆｗ×ｆｔ）１／２  ＜  ０．７０
０．５０  ＜  Ｓ２ ／（ｆｗ×ｆｔ）１／２  ＜  １．００
但し、
Ｓ１  ：前記第１レンズ群の、最も物体側のレンズ面から最も像面側のレンズ面までの光軸上の距離
Ｓ２  ：前記第２レンズ群の、最も物体側のレンズ面から最も像面側のレンズ面までの光軸上の距離
ｆｗ  ：広角端状態における前記ズームレンズの焦点距離
ｆｔ  ：望遠端状態における前記ズームレンズの焦点距離
【請求項２】
前記第１接合レンズは、負の屈折力を有することを特徴とする請求項１に記載のズームレンズ。
【請求項３】
前記第２接合レンズは、正の屈折力を有することを特徴とする請求項１または２に記載のズームレンズ。
【請求項４】
以下の条件を満足することを特徴とする請求項１から３のいずれか一項に記載のズームレンズ。
１．００  ＜  （−ｆ１） ／ Ｓ１  ＜  ３．００
但し、
ｆ１  ：前記第１レンズ群の焦点距離
Ｓ１  ：前記第１レンズ群の、最も物体側のレンズ面から最も像面側のレンズ面までの光軸上の距離
【請求項５】
以下の条件を満足することを特徴とする請求項１から４のいずれか一項に記載のズームレンズ。
０．２０  ＜  ｆＬ１ ／ ｆＬ２  ＜  ０．５０
但し、
ｆＬ１  ：前記第1レンズ群の前記負メニスカスレンズの焦点距離
ｆＬ２  ：前記第１レンズ群の前記負レンズの焦点距離
【請求項６】
以下の条件を満足することを特徴とする請求項１から５のいずれか一項に記載のズームレンズ。
−２．００  ＜  （ｒ２Ｒ＋ｒ２Ｆ）／（ｒ２Ｒ−ｒ２Ｆ）  ≦  ０．００
但し、
ｒ２Ｆ  ：前記第１レンズ群の前記負レンズの物体側のレンズ面の曲率半径
ｒ２Ｒ  ：前記第１レンズ群の前記負レンズの像面側のレンズ面の曲率半径
【請求項７】
以下の条件を満足することを特徴とする請求項１から６のいずれか一項に記載のズームレンズ。
ｎｄＬ２ ＜ １．６２
６２．００＜  νｄＬ２
但し、
ｎｄＬ２  ：前記第１レンズ群の前記負レンズのｄ線（λ＝587.6nm）に対する屈折率
νｄＬ２  ：前記第１レンズ群の前記負レンズのｄ線（λ＝587.6nm）に対するアッベ数
【請求項８】
前記第１接合レンズは、物体側から順に、正レンズと負レンズからなることを特徴とする請求項１から７のいずれか一項に記載のズームレンズ。
【請求項９】
前記第２接合レンズは、物体側から順に、負レンズと正レンズからなることを特徴とする請求項１から８のいずれか一項に記載のズームレンズ。
【請求項１０】
開口絞りを有し、
前記開口絞りは、前記第１レンズ群の最も像面側のレンズ面より像面側に配置されていることを特徴とする請求項１から９のいずれか一項に記載のズームレンズ。
【請求項１１】
請求項１から１０のいずれか一項に記載のズームレンズを具備することを特徴とする光学装置。
【請求項１２】
物体側より順に、負屈折力の第１レンズ群と、正屈折力の第２レンズ群を有するズームレンズの製造方法であって、
前記第１レンズ群は、物体側より順に、像面側に凹面を向けた負メニスカスレンズと、負レンズと、物体側に凸面を向けた正レンズを有するようにし、
前記第２レンズ群は、物体側より順に、正レンズと、第１接合レンズと、第２接合レンズを有するようにし、
以下の条件式を満足するようにし、
広角端状態から望遠端状態への変倍の際、前記第１レンズ群と前記第２レンズ群との間隔が変化するようにすることを特徴とするズームレンズの製造方法。
０．２０  ＜  Ｓ１ ／（ｆｗ×ｆｔ）１／２  ＜  ０．７０
０．５０  ＜  Ｓ２ ／（ｆｗ×ｆｔ）１／２  ＜  １．００
但し、
Ｓ１  ：前記第１レンズ群の、最も物体側のレンズ面から最も像面側のレンズ面までの光軸上の距離
Ｓ２  ：前記第２レンズ群の、最も物体側のレンズ面から最も像面側のレンズ面までの光軸上の距離
ｆｗ  ：広角端状態における前記ズームレンズの焦点距離
ｆｔ  ：望遠端状態における前記ズームレンズの焦点距離
【手続補正２】
【補正対象書類名】明細書
【補正対象項目名】０００６
【補正方法】変更
【補正の内容】
【０００６】
上記課題を解決するため、本発明は、
物体側より順に、負屈折力の第１レンズ群と、正屈折力の第２レンズ群を有し、
広角端状態から望遠端状態への変倍の際、前記第１レンズ群と前記第２レンズ群の間隔が変化し、
前記第１レンズ群は、物体側より順に、像面側に凹面を向けた負メニスカスレンズと、負レンズと、物体側に凸面を向けた正レンズを有し、
前記第２レンズ群は、物体側より順に、正レンズと、第１接合レンズと、第２接合レンズを有し、
以下の条件を満足することを特徴とするズームレンズを提供する。
０．２０  ＜  Ｓ１ ／（ｆｗ×ｆｔ）１／２  ＜  ０．７０
０．５０  ＜  Ｓ２ ／（ｆｗ×ｆｔ）１／２  ＜  １．００
但し、Ｓ１は前記第１レンズ群の、最も物体側のレンズ面から最も像面側のレンズ面までの光軸上の距離、Ｓ２は前記第２レンズ群の、最も物体側のレンズ面から最も像面側のレンズ面までの光軸上の距離、ｆｗは広角端状態における前記ズームレンズの焦点距離、ｆｔは望遠端状態における前記ズームレンズの焦点距離である。
【手続補正３】
【補正対象書類名】明細書
【補正対象項目名】０００８
【補正方法】変更
【補正の内容】
【０００８】
また、本発明は、
物体側より順に、負屈折力の第１レンズ群と、正屈折力の第２レンズ群を有するズームレンズの製造方法であって、
前記第１レンズ群は、物体側より順に、像面側に凹面を向けた負メニスカスレンズと、負レンズと、物体側に凸面を向けた正レンズを有するようにし、
前記第２レンズ群は、物体側より順に、正レンズと、第１接合レンズと、第２接合レンズを有するようにし、
以下の条件式を満足するようにし、
広角端状態から望遠端状態への変倍の際、前記第１レンズ群と前記第２レンズ群との間隔が変化するようにすることを特徴とするズームレンズの製造方法を提供する。
０．２０  ＜  Ｓ１ ／（ｆｗ×ｆｔ）１／２  ＜  ０．７０
０．５０  ＜  Ｓ２ ／（ｆｗ×ｆｔ）１／２  ＜  １．００
但し、Ｓ１は前記第１レンズ群の、最も物体側のレンズ面から最も像面側のレンズ面までの光軸上の距離、Ｓ２は前記第２レンズ群の、最も物体側のレンズ面から最も像面側のレンズ面までの光軸上の距離、ｆｗは広角端状態における前記ズームレンズの焦点距離、ｆｔは望遠端状態における前記ズームレンズの焦点距離である。
【手続補正４】
【補正対象書類名】明細書
【補正対象項目名】００１５
【補正方法】変更
【補正の内容】
【００１５】
また、本願のズームレンズは、以下の条件式（１）、（２）を満足する。
（１）  ０．２０  ＜  Ｓ１ ／（ｆｗ×ｆｔ）１／２  ＜  ０．７０
（２）  ０．５０  ＜  Ｓ２ ／（ｆｗ×ｆｔ）１／２  ＜  １．００
但し、Ｓ１は前記第１レンズ群の、最も物体側のレンズ面から最も像面側のレンズ面までの光軸上の距離、Ｓ２は前記第２レンズ群の、最も物体側のレンズ面から最も像面側のレンズ面までの光軸上の距離、ｆｗは広角端状態における前記ズームレンズの焦点距離、ｆｔは望遠端状態における前記ズームレンズの焦点距離である。
【手続補正５】
【補正対象書類名】明細書
【補正対象項目名】００６３
【補正方法】変更
【補正の内容】
【００６３】
（ステップＳ３）
以下の条件式（１）、（２）を満足するようにする。
（１）  ０．２０  ＜  Ｓ１ ／（ｆｗ×ｆｔ）１／２  ＜  ０．７０
（２）  ０．５０  ＜  Ｓ２ ／（ｆｗ×ｆｔ）１／２  ＜  １．００
但し、Ｓ１は前記第１レンズ群の、最も物体側のレンズ面から最も像面側のレンズ面までの光軸上の距離、Ｓ２は前記第２レンズ群の、最も物体側のレンズ面から最も像面側のレンズ面までの光軸上の距離、ｆｗは広角端状態における前記ズームレンズの焦点距離、ｆｔは望遠端状態における前記ズームレンズの焦点距離である。
【手続補正６】
【補正対象書類名】明細書
【補正対象項目名】００７８
【補正方法】変更
【補正の内容】
【００７８】
（表１）第１実施例
[面データ]
面番号          ｒ       ｄ     ｎｄ     νｄ
物面           ∞
1          21.1989   1.10   1.85135   40.10
＊2           7.5975   4.41   1.00000
3         -52.6643   0.80   1.49782   82.57
4          42.3237   0.84   1.00000
5          15.6071   1.68   1.84666   23.78
6          32.7790   可変   1.00000
7(絞りS)     ∞      0.65   1.00000
8          37.1408   1.47   1.65844   50.84
9         -29.0801   0.10   1.00000
10           9.6037   2.76   1.59319   67.90
11         -14.5302   3.16   1.74400   44.81
12           9.7023   1.83   1.00000
13          31.5814   0.80   1.90265   35.73
14           9.1997   2.75   1.58913   61.22
15         -15.6188   可変   1.00000
16            ∞      2.79   1.51680   63.88
17            ∞      2.11   1.00000
像面           ∞
［非球面データ］
面番号     κ         A4            A6            A8            A10
2     0.7566  -3.95310E-07  -6.33270E-08   1.17320E-09  -1.39090E-10
［各種データ］
変倍比         2.35
Ｗ          Ｍ          Ｔ
ｆ            11.35       17.00       26.71
ＦＮＯ         3.64        4.38        5.77
２ω          73.6°      51.2°      33.4°
Ｙ             8.00        8.00        8.00
ＴＬ          59.8037     56.6351     59.8037
空気換算ＴＬ  58.8531     55.6845     58.8531
ＢＦ          20.0378     25.5878     35.1214
空気換算ＢＦ  19.0872     24.6372     34.1708
Ｗ          Ｍ          Ｔ
d6            17.4158      8.6974      2.3323
d15           15.1378     20.6878     30.2214
［レンズ群データ］
群    始面        ｆ
1       1       -17.41
2       8        17.10
［条件式対応値］
（１） Ｓ１／（ｆｗ×ｆｔ）１／２ ＝ 0.507
（２） Ｓ２／（ｆｗ×ｆｔ）１／２ ＝ 0.739
（３） （−ｆ１）／Ｓ１ ＝ 1.972
（４） ｆＬ１／ｆＬ２ ＝ 0.307
（５） （ｒ２Ｒ＋ｒ２Ｆ）／（ｒ２Ｒ−ｒ２Ｆ） ＝ -0.109
（６） ｎｄＬ２ ＝ 1.498
（７） νｄＬ２ ＝ 82.57
【手続補正７】
【補正対象書類名】明細書
【補正対象項目名】００８９
【補正方法】変更
【補正の内容】
【００８９】
以下の表２に、本実施例に係るズームレンズの諸元の値を掲げる。
（表２）第２実施例
[面データ]
面番号          ｒ       ｄ     ｎｄ     νｄ
物面           ∞
1          27.6355   1.10   1.85135   40.10
＊2           7.6407   3.86   1.00000
3        -150.2962   1.00   1.59319   67.90
4          31.0526   0.55   1.00000
5          15.2311   1.93   1.78472   25.64
6          55.6807   可変   1.00000
7(絞りS)     ∞      1.00   1.00000
8          27.1591   1.47   1.69680   55.52
9         -42.3201   0.10   1.00000
10           9.7355   4.49   1.59319   67.90
11         -14.9453   1.00   1.79952   42.09
12           9.9794   2.29   1.00000
13          34.1656   1.00   1.95400   33.46
14           9.1459   2.31   1.65844   50.84
15         -16.2105   可変   1.00000
16            ∞      2.79   1.51680   63.88
17            ∞      2.11   1.00000
像面           ∞
［非球面データ］
面番号     κ         A4            A6            A8            A10
2     0.7876  -2.07080E-05  -6.78850E-07   6.59940E-09  -3.36460E-10
［各種データ］
変倍比         2.35
Ｗ          Ｍ          Ｔ
ｆ            11.35       17.30       26.70
ＦＮＯ         3.65        4.39        5.77
２ω          75.1°      51.6°      34.3°
Ｙ             8.20        8.20        8.20
ＴＬ          59.6000     56.3856     59.6000
空気換算ＴＬ  58.6494     55.4350     58.6494
ＢＦ          20.2437     26.1597     35.5059
空気換算ＢＦ  19.2931     25.2091     34.5553
Ｗ          Ｍ          Ｔ
d6            17.2621      8.1318      2.0000
d15           15.3437     21.2597     30.6059
［レンズ群データ］
群    始面        ｆ
1       1       -17.41
2       8        17.31
［条件式対応値］
（１） Ｓ１／（ｆｗ×ｆｔ）１／２ ＝ 0.485
（２） Ｓ２／（ｆｗ×ｆｔ）１／２ ＝ 0.727
（３） （−ｆ１）／Ｓ１ ＝ 2.063
（４） ｆＬ１／ｆＬ２ ＝ 0.294
（５） （ｒ２Ｒ＋ｒ２Ｆ）／（ｒ２Ｒ−ｒ２Ｆ） ＝ -0.658
（６） ｎｄＬ２ ＝ 1.593
（７） νｄＬ２ ＝ 67.90
【手続補正８】
【補正対象書類名】明細書
【補正対象項目名】００９９
【補正方法】変更
【補正の内容】
【００９９】
以下の表３に、本実施例に係るズームレンズの諸元の値を掲げる。
（表３）第３実施例
[面データ]
面番号          ｒ       ｄ     ｎｄ     νｄ
物面           ∞
1          20.9555   1.10   1.85135   40.14
＊2           7.6934   4.31   1.00000
3         -73.1411   0.84   1.49782   82.56
4          25.3734   1.02   1.00000
5          15.7101   1.69   2.00069   25.47
6          31.1165   可変   1.00000
7(絞りS)     ∞      0.65   1.00000
8          40.2590   1.43   1.69680   55.52
9         -31.7401   0.10   1.00000
10           9.8087   3.12   1.59319   67.94
11         -14.5256   2.80   1.74400   44.82
12          10.5639   1.73   1.00000
13          27.6157   1.00   1.95000   29.39
14           8.6732   2.76   1.58267   46.46
15         -15.6920   可変   1.00000
16            ∞      2.79   1.51680   63.88
17            ∞      2.11   1.00000
像面           ∞
［非球面データ］
面番号     κ         A4            A6            A8            A10
2     0.1520   1.66840E-04   1.76430E-06  -9.16880E-09   3.34540E-10
［各種データ］
変倍比         2.35
Ｗ          Ｍ          Ｔ
ｆ            11.35       17.30       26.70
ＦＮＯ         3.64        4.57        5.80
２ω          75.0°      51.5°      34.2°
Ｙ             8.20        8.20        8.20
ＴＬ          59.8881     56.7244     59.8834
空気換算ＴＬ  58.9375     55.7738     58.9328
ＢＦ          19.9000     25.7174     34.9080
空気換算ＢＦ  18.9494     24.7668     33.9574
Ｗ          Ｍ          Ｔ
d6            17.4426      8.4614      2.4299
d15           15.0000     20.8174     30.0080
［レンズ群データ］
群    始面        ｆ
1       1       -17.41
2       8        17.02
［条件式対応値］
（１） Ｓ１／（ｆｗ×ｆｔ）１／２ ＝ 0.514
（２） Ｓ２／（ｆｗ×ｆｔ）１／２ ＝ 0.743
（３） （−ｆ１）／Ｓ１ ＝ 1.944
（４） ｆＬ１／ｆＬ２ ＝ 0.393
（５） （ｒ２Ｒ＋ｒ２Ｆ）／（ｒ２Ｒ−ｒ２Ｆ） ＝ -0.485
（６） ｎｄＬ２ ＝ 1.498
（７） νｄＬ２ ＝ 82.57
【手続補正９】
【補正対象書類名】明細書
【補正対象項目名】０１０９
【補正方法】変更
【補正の内容】
【０１０９】
以下の表４に、本実施例に係るズームレンズの諸元の値を掲げる。
（表４）第４実施例
[面データ]
面番号          ｒ       ｄ     ｎｄ     νｄ
物面           ∞
1            ∞      1.00   1.51680   63.88
2            ∞      2.00   1.00000
3          22.1410   1.10   1.85135   40.14
＊4           7.6618   4.23   1.00000
5         -97.7669   0.80   1.49782   82.57
6          29.9606   0.84   1.00000
7          14.8029   1.77   1.84666   23.80
8          30.8037   可変   1.00000
9(絞りS)     ∞      0.65   1.00000
10          35.5510   1.46   1.63854   55.34
11         -30.6717   0.10   1.00000
12           9.6339   2.77   1.59319   67.90
13         -15.0148   3.28   1.74400   44.80
14           9.8040   1.78   1.00000
15          28.6661   1.00   1.90366   31.27
16           8.5586   2.77   1.61772   49.78
17         -17.3121   可変   1.00000
18            ∞      2.79   1.51680   63.88
19            ∞      2.11   1.00000
像面           ∞
［非球面データ］
面番号     κ         A4            A6            A8            A10
4     0.7721  -7.96219E-06   8.08394E-08  -3.39865E-09  -1.43235E-10
［各種データ］
変倍比         2.35
Ｗ          Ｍ          Ｔ
ｆ            11.35       17.40       26.71
ＦＮＯ         3.63        4.56        5.77
２ω          75.0°      51.4°      34.2°
Ｙ             8.19        8.19        8.19
ＴＬ          59.9000     56.7320     59.9056
空気換算ＴＬ  58.9494     55.7821     58.9493
ＢＦ          19.9000     25.8271     34.9480
空気換算ＢＦ  18.9494     24.8765     33.9974
Ｗ          Ｍ          Ｔ
d8            17.4708      8.37574     2.42841
d17           15.0000     20.92712    30.04804
［レンズ群データ］
群    始面        ｆ
1       3       -17.41
2      10        17.05
［条件式対応値］
（１） Ｓ１／（ｆｗ×ｆｔ）１／２ ＝ 0.501
（２） Ｓ２／（ｆｗ×ｆｔ）１／２ ＝ 0.755
（３） （−ｆ１）／Ｓ１ ＝ 1.995
（４） ｆＬ１／ｆＬ２ ＝ 0.310
（５） （ｒ２Ｒ＋ｒ２Ｆ）／（ｒ２Ｒ−ｒ２Ｆ） ＝ -0.531
（６） ｎｄＬ２ ＝ 1.498
（７） νｄＬ２ ＝ 82.57
【手続補正１０】
【補正対象書類名】明細書
【補正対象項目名】０１１９
【補正方法】変更
【補正の内容】
【０１１９】
以下の表５に、本実施例に係るズームレンズの諸元の値を掲げる。
（表５）第５実施例
[面データ]
面番号          ｒ       ｄ     ｎｄ     νｄ
物面           ∞
1          21.8349   1.10   1.85135   40.10
＊2           6.9683   3.58   1.00000
3         232.0289   1.00   1.75700   47.73
4          29.0118   0.60   1.00000
5          13.9434   1.92   1.84666   23.78
6          38.9245   可変   1.00000
7(絞りS)     ∞      1.00   1.00000
8          33.9295   1.47   1.67790   55.35
9         -31.2393   0.10   1.00000
10           8.7609   3.86   1.59319   67.90
11         -15.0893   1.00   1.79952   42.09
12           9.7880   2.30   1.00000
13          34.5787   1.00   1.90366   31.27
14           8.1693   2.33   1.61266   44.46
15         -14.8870   可変   1.00000
16            ∞      2.79   1.51680   63.88
17            ∞      2.11   1.00000
像面           ∞
［非球面データ］
面番号     κ         A4            A6            A8            A10
2     -0.8415  5.64840E-04   -1.28470E-06  3.29740E-08    5.58720E-11
［各種データ］
変倍比         2.35
Ｗ          Ｍ          Ｔ
ｆ            11.35       17.30       26.71
ＦＮＯ         3.59        4.40        5.78
２ω          73.0°      51.0°      34.1°
Ｙ             8.20        8.20        8.20
ＴＬ          58.4836     55.3260     58.4795
空気換算ＴＬ  57.5330     54.3754     57.5289
ＢＦ          20.1001     25.9034     35.0772
空気換算ＢＦ  19.1495     24.3528     34.1266
Ｗ          Ｍ          Ｔ
d6            17.1169      8.1560      2.1357
d15           15.2001     21.0034     30.1772
［レンズ群データ］
群    始面        ｆ
1       1        -17.41
2       8         16.98
［条件式対応値］
（１） Ｓ１／（ｆｗ×ｆｔ）１／２ ＝ 0.471
（２） Ｓ２／（ｆｗ×ｆｔ）１／２ ＝ 0.693
（３） （−ｆ１）／Ｓ１ ＝ 2.123
（４） ｆＬ１／ｆＬ２ ＝ 0.284
（５） （ｒ２Ｒ＋ｒ２Ｆ）／（ｒ２Ｒ−ｒ２Ｆ） ＝ -1.286
（６） ｎｄＬ２ ＝ 1.757
（７） νｄＬ２ ＝ 47.73